(57)【要約】【課題】エバポレーターからの冷気を直接下方へ送風する冷気通路を形成し、冷気を左右方向均一に送風させ、コンテナ内を均一に冷却する。【解決手段】コンテナ１０に搭載され、コンテナ室内を冷却するコンテナ用冷凍装置１１であって、エバポレーター４を冷凍装置１１の筐体上部に配置し、該エバポレーター４の下方に、導風ガイド板２３を左右方向に横架し、該導風ガイド板２３の端部に連続して下方に向かう壁面を形成する断熱ボード５９を立設し、該断熱ボード５９に対向してバルクヘッド５８を立設し、前記導風ガイド板２３の上面、及び、断熱ボード５９とバルクヘッド５８の間の空間にて、一連の冷気通路８２を構成する。【選択図】　　　　図４
2004003707.tif 000002
【特許請求の範囲】
【請求項１】
コンテナに搭載され、コンテナ室内を冷却するコンテナ用冷凍装置であって、エバポレーターを冷凍装置の筐体上部に配置し、該エバポレーターの下方に、導風ガイド板を左右方向に横架し、該導風ガイド板の端面に連続して下方に向かう壁面を形成する壁体を立設し、該壁体に対向してバルクヘッドを立設し、前記導風ガイド板の上面、及び、壁体とバルクヘッドの間の空間にて、一連の冷気通路を構成する、ことを特徴とするコンテナ用冷凍装置。
【請求項２】
前記導風ガイド板は、側面視においてコンテナ室内側を低くする一連の傾斜面を形成している、ことを特徴とする請求項１に記載のコンテナ用冷凍装置。
【請求項３】
前記バルクヘッドは、冷気通路側面に上下方向垂直の凹溝を並列させて平面視凹凸状とした板体であって、前記凹溝には断熱材を布設される、ことを特徴とする請求項１又は２に記載のコンテナ用冷凍装置。
【請求項４】
前記バルクヘッドは、前記壁体に対し、着脱自在に固設する構成とした、ことを特徴とする請求項１乃至請求項３に記載のコンテナ用冷凍装置。
【請求項５】
前記バルクヘッドの下部に、開閉自在の板体を配するとともに、該板体の下端を、コンテナの床面に当接させる構成とした、ことを特徴とする請求項１乃至請求項４のいずれかに記載のコンテナ用冷凍装置。
【発明の詳細な説明】
【０００１】
【発明の属する技術分野】
本発明は、コンテナの前後一側に着脱自在に冷凍装置が搭載される構成に関し、より詳しくは、該冷凍装置における冷気通路の構成に関する。
【０００２】
【従来の技術】
従来、冷凍コンテナを貨物車両等に搭載した場合、後側は扉として、前側（以下妻側とする）に冷凍装置を配置するようにしている。該冷凍コンテナの冷凍装置のエバポレーターにて冷却された冷気のコンテナ室内への冷気通路は、図８に示すごとくである。
この例では、冷凍装置１１０をコンテナ１００の妻側に配しており、エバポレーターにて冷却された冷気を、中心から左右方向へ低くなる勾配を形成した導風ガイド板１２３により左右へ流し、コンテナ側壁１２６と冷凍装置側壁１２５の間の冷気通路を通して下方へ流し、さらに、床通路１２８の中央に配した風向ガイド板１２４にて風向を変えてコンテナ室内側へ送る構成としている。
また、冷凍装置１１０とコンテナ室内は、バルクヘッド（コンテナ室内側前面板）１２７により隔離されており、左右には開閉蓋１２７ａ・１２７ｂを配して前記冷気通路の掃除をできるようにしていた。
【０００３】
【発明が解決しようとする課題】
しかし、上記従来例では、冷気が導風ガイド板１２３により一度左右方向へ流した後、床通路１２８から左右方向に広く拡散させようとするものであるが、中央の風向ガイド板１２４までに冷気が到達せずに中央付近が十分に冷されず、また、コンテナ室内が均一に冷されないといった不具合があった。このことから、前記導風ガイド板１２３により左右方向へ流すことなく、直接下方へ送風する冷気通路を形成し、冷気を左右方向均一に送風させる構成とする必要がある。
また、前記バルクヘッド１２７の左右には開閉蓋１２７ａ・１２７ｂが配されているが、この開閉蓋１２７ａ・１２７ｂを開いた際の開口は狭いため掃除がしづらく、また、バルクヘッド１２７との開閉蓋１２７ａ・１２７ｂの間の隙間から凝縮水が漏れて、積荷を濡らしてしまうという不具合も生じていた。
【０００４】
【課題を解決するための手段】
本発明の解決しようとする課題は以上のごとくであり、次に該課題を解決する為の手段を説明する。
即ち、請求項１に記載のごとく、コンテナに搭載され、コンテナ室内を冷却するコンテナ用冷凍装置であって、エバポレーターを冷凍装置の筐体上部に配置し、該エバポレーターの下方に、導風ガイド板を左右方向に横架し、該導風ガイド板の端面に連続して下方に向かう壁面を形成する壁体を立設し、該壁体に対向してバルクヘッドを立設し、前記導風ガイド板の上面、及び、壁体とバルクヘッドの間の空間にて、一連の冷気通路を構成することである。
【０００５】
また、請求項２に記載のごとく、前記導風ガイド板は、側面視においてコンテナ室内側を低くする一連の傾斜面を形成していることである。
【０００６】
また、請求項３に記載のごとく、前記バルクヘッドは、冷気通路側面に上下方向垂直の凹溝を並列させて平面視凹凸状とした板体であって、前記凹溝には断熱材を布設されることである。
【０００７】
また、請求項４に記載のごとく、前記バルクヘッドは、前記壁体に対し、着脱自在に固設する構成としたことである。
【０００８】
また、請求項５に記載のごとく、前記バルクヘッドの下部に、開閉自在の板体を配するとともに、該板体の下端を、コンテナの床面に当接させる構成としたことである。
【０００９】
【発明の実施の形態】
次に、本発明の実施の形態を、図面に基づいて説明する。
図１は本発明の冷凍装置を備えたコンテナを示す正面図、図２は同じく各種カバーを取外した状態を示す正面図、図３は冷凍装置のフレーム外枠の構成及びコンテナを示す斜視図、図４は冷凍装置における冷気の流れを示す斜視図、図５は冷凍装置の左一部断面側面図、図６は同じく右一部断面側面図、図７はバルクヘッドの構成を示す平面図、図８は従来のコンテナ用冷凍装置における冷気通路の構成を示す斜視図である。
【００１０】
図１に示すごとく、冷凍装置１１は、直方体のコンテナ１０の前面となる妻側に嵌挿されるものであり、図２に示すごとく、冷凍装置１１の筐体内部は複数の室に区切られており、これら各室に装置類が配設されている。
そして、図２に示すごとくの妻側から望む正面視において、該冷凍装置１１の下部右側はエンジン室６１、下部中央はマフラー室６２、下部左側はタンク室６５で構成されている。
【００１１】
また、これら下部に配される各室の上であって、冷凍装置１１の上下略中央部において、右側に上下に配設されるモニター装置室５４と冷却ファン室６４、そして、左右中央部に制御ボックス室６６、左側にコンデンサ室６３と順に配設されている。
【００１２】
そして、これら各室は、冷凍装置１１の前側（コンテナ１０の室外側、以下同じ）に向けて開口されており、図１に示すごとく、メンテナンス時以外には、エンジン室開閉扉１８、タンク・マフラー室カバー１５、冷却ファン室前側カバー１７、モニター装置室前側開閉蓋４９ａ、制御ボックス室カバー１３、そしてコンプレッサー室カバー１９により、筐体の前側の開口が閉じられた構成となっている。
【００１３】
さらに、図２に示すごとく、冷凍装置１１の上部には、エバポレーター室６７が構成されて、エバポレーターファン２・２・・・とエバポレーター４と導風ガイド板２３等が配置されている。そして該エバポレーター室６７は、冷凍装置１１の後側（コンテナ１０の室内側、以下同じ）に向けて開口されており、その反対側となる前側は、図１に示すごとく、メンテナンス時以外には、エバポレーター室カバー１２により閉じられている。
【００１４】
また、図３に示すごとく、これら各室を構成する冷凍装置１１のフレーム外枠は、天板３５、左右側板３７・３９、底面板３８、後面板４０、エバポレーター室カバー１２により外観を構成し、コンテナ１０の妻側に着脱自在に搭載されるユニットとして一体的に構成されているものである。
【００１５】
そして、図４に示すごとく、冷凍装置１１のコンテナ１０室内側においては、エバポレーターファン２・２・・・により取り込んだ室内空気をエバポレーター４にて冷却して冷気として、導風ガイド板２３及びバルクヘッド５８により形成された冷気通路８２を通して、コンテナ１０の凹凸床１４より吹きだすことにより、コンテナ１０室内を冷却するようにしている。尚、バルクヘッド５８はコンテナ１０室内前面板となる。
【００１６】
以上が本発明の冷凍装置１１の全体構成であり、以下では、エバポレーター室６７の構成と、冷気通路８２について説明する。
図４、図５及び図６に示すごとく、該エバポレーター室６７は、コンテナ１０の室内側に開口させて構成されるものであり、その壁面は断熱材を樹脂板で覆ってなる等して構成された断熱ボード５６・５６・・・により構成されている。そして、エバポレーター室６７の室内上下略中央位置に横設したエバポレーター載架台５７にエバポレーター４が載架される一方、エバポレーター載架台５７の下方には、導風ガイド板２３が左右方向に横架されている。
前記エバポレーター載架台５７は、エバポレーター４が載架される箇所のみが開放され、冷気をエバポレーターファン２により同載架台５７の下方に送風できるようにしている。また、該エバポレーター載架台５７のコンテナ１０室内側端部は、冷凍装置１１の後面板４０に敷設される断熱ボード５９の壁面の上方延長線上まで突設させており（図５・図６）、該断熱ボード５９の分だけ、エバポレーター室６７からコンテナ１０の室内側に突出させたようにしている。
また、導風ガイド板２３は、図５に示す側面視において、前高後低、即ち、コンテナ１０室内側を低くする一連の傾斜面を形成している。また、左右幅方向においては、図２及び図４に示すごとくエバポレーター室６７の室内左右幅と略同一となるよう広く構成している。そして、導風ガイド板２３においても同様に、その傾斜下端面を断熱ボード５９の壁面の上方延長線上まで突設させている（図５・図６）。
これにより、後述の冷気通路８２に、左右広範囲において、均一に冷却風を送り込むようガイドできるようになっている。
【００１７】
また、図４乃至図６に示すごとく、コンテナ１０内部床側より断熱ボード５９の壁面に対向してバルクヘッド５８が立設され、該バルクヘッド５８の上端は、エバポレーター載架台５７の上面と略同一とし、該上端とエバポレーター載架台５７前端との上部蓋８１を左右方向に横架し、バルクヘッド５８と断熱ボード５９の両壁面間に上部蓋８１の前後幅の分だけの空間を形成する。
【００１８】
以上のように、エバポレーター４を冷凍装置１１の筐体上部に配置し、該エバポレーターの下方に、側面視においてコンテナ室内側を低くする一連の傾斜面を形成する導風ガイド板２３を左右方向に横架し、該導風ガイド板２３の傾斜下端面に連続して下方に向かう壁面を形成する壁体である断熱ボードを立設し、該断熱ボードに対向してバルクヘッドを立設し、前記導風ガイド板２３の上面、及び、断熱ボード５９とバルクヘッド５８との間の空間にて、一連の冷気通路８２を構成することにより、冷気をコンテナ１０室内の床部に向けて左右均一に案内し、コンテナ１０室内を床側から左右広範囲で均一に冷却することができる。
また、エバポレーター４より水滴が落下した場合においても、導風ガイド板２３の傾斜により、冷気通路８２に流され、冷気とともに、後述するドレン溝８８（図５・図６）まで案内することができる。
【００１９】
次に、前記冷気通路８２を構成するバルクヘッド５８について説明する。
図５及び図６に示すごとく、前記バルクヘッド５８は、上述のごとく、その上端をエバポレーター載架台５７の前方に位置させるものであるが、その下端の位置を、コンテナ１０室内底部の凹凸床１４の凸部上方近傍として、冷気通路８２の下部を凹凸床１４の凹部にて開放し、該凹部よりコンテナ１０室内へ冷気を送り込むようにしている。
【００２０】
また、バルクヘッド５８は、図７に示すごとく、その冷気通路８２側面に、上下方向垂直の凹溝８３・８３・・・を並列させて、平面視凹凸状とする板体であって、前記凹溝８３・８３・・・には、断熱材８４・８４・・・を布設する構成としている。言い換えれば、バルクヘッド５８は、そのコンテナ１０室内側面に、上下方向垂直の凸面８５・８５・・・を並列させて、平面視凹凸状とする板体であって、該凸面８５・８５・・・の裏側面に、断熱材８４・８４・・・を貼設する構成としているものである。この構成では、コンテナ１０室内側の凸面８５・８５・・・の裏面に断熱材８４・８４・・・が配され、凸面８５・８５・・・には、冷気通路８２の冷温が直接伝達することがなくなる。
これにより、コンテナ１０内の荷物３３がバルクヘッド５８に当接した際において、この当接部での結露の発生を防止することができるとともに、当接部において、局所的に荷物が冷却されることもなく、コンテナ１０の凹凸床１４からの冷気によりコンテナ１０室内の荷物を均一に冷却することができるようになる。
【００２１】
また、バルクヘッド５８は、冷凍装置１１の裏面、即ち、前記断熱ボード５９の裏面に付設する固定ステー２８・２８・・・に対し、前記凹溝８３・８３・・・の連設部２７・２７・・・を、固定ボルト２９・２９・・・により着脱自在に固設する構成としている。
これにより、冷気通路８２の掃除が必要となった際には、固定ボルト２９・２９・・・を緩めバルクヘッド５８を取外し、冷気通路８２を広く開放させることが可能となり、断熱ボード５９の全面の拭き掃除を行なうこともできる。
尚、前記固定ステー２８・２８・・・については、上下に長く構成して柱状にすることや、上下に短く構成して、断熱ボード５９の上下方向複数箇所に配設する等、特に限定されるものではなく、また、ボルト固定のほか、バルクヘッド５８の裏面にフックを備え、固定ステー２８・２８・・・に係止させる構成としてもよい。
【００２２】
さらに、図５及び図６に示すごとく、該バルクヘッド５８の下部に、開閉自在の板体であるバッフルプレート８６を配するとともに、該バッフルプレート８６の下端を、コンテナ１０の床面である凹凸床１４に当接させる構成としている。
具体的には、図５及び図６に示すごとく、バルクヘッド５８の下端と、コンテナ１０の凹凸床１４との間に、掃除口８７としての空間を形成するよう、バルクヘッド５８をコンテナ１０の側壁に横架させ、前記掃除口８７をコンテナ１０室内側から蓋をするバッフルプレート８６を、バルクヘッド５８に対し蝶番３４により枢結する構成としている。また、該バッフルプレート８６は、側面視において、略「Ｌ」字型とし、その立設面で、冷気通路８２の最下部を形成するとともに、その下平面を凹凸床１４の上面（凸面）に当接させ、立設面とともに掃除口８７を塞ぐ構成としている。
これにより、バッフルプレート８６は、通常では、バルクヘッド５８とともに、冷気通路８２を形成し、メンテナンス時では、コンテナ１０室内側へ開いて、掃除口８７を開放し、冷気通路８２下部に溜まった塵等の除去作業を行なうことができるようになる。
尚、上記バッフルプレート８６においては、コンテナ１０室内左右全幅とせずに、複数箇所に配設する構成でもよく、また、回動させる構成の他、上方に引上げる構成の引戸形式等としてもよい。
【００２３】
また、冷気通路８２の最下部となるコンテナ１０の床面においては、左右方向にドレン溝８８を形成させるとともに、該ドレン溝８８の左右略中央の床部にドレン口を形成し、該ドレン口より下方に向けてドレン管８９を突設している。また、このドレン溝８８には、前記ドレン口を低くするよう勾配が形成されており、ドレン水がその勾配によって、ドレン口に流されるようにしている。
これにより、上述したごとく、エバポレーター４の周囲において凝結し、導風ガイド板２３に落下した水滴をドレン管８９よりドレンすることができる。また、凝結した水分が冷気通路８２を通過させることで、適度な湿り気をコンテナ室内に導くことができ、過乾燥となることがなく、野菜等の搬送に適した構成となっている。
【００２４】
【発明の効果】
本発明は以上のごとく構成したので、次のような効果を奏するのである。即ち、請求項１に記載のごとく、コンテナに搭載され、コンテナ室内を冷却するコンテナ用冷凍装置であって、エバポレーターを冷凍装置の筐体上部に配置し、該エバポレーターの下方に、導風ガイド板を左右方向に横架し、該導風ガイド板の端面に連続して下方に向かう壁面を形成する壁体を立設し、該壁体に対向してバルクヘッドを立設し、前記導風ガイド板の上面、及び、壁体とバルクヘッドの間の空間にて、一連の冷気通路を構成するので、冷気をコンテナ室内の床部に向けて左右均一に案内し、コンテナ室内を床側から左右広範囲で均一に冷却することができる。
【００２５】
また、請求項２に記載のごとく、前記導風ガイド板は、側面視においてコンテナ室内側を低くする一連の傾斜面を形成しているので、前記冷気通路に、左右広範囲において、均一に冷却風を送り込むようガイドできる。また、エバポレーターより水滴が落下した場合においても、導風ガイド板の傾斜により、冷気通路に流され、冷気とともに、ドレン溝まで案内することができる。
【００２６】
また、請求項３に記載のごとく、前記バルクヘッドは、冷気通路側面に上下方向垂直の凹溝を並列させて平面視凹凸状とした板体であって、前記凹溝には断熱材を布設されるので、冷気通路の冷温が直接伝達することがなく、コンテナ内の荷物がバルクヘッドに当接した際において、この当接部での結露の発生を防止することができ、また、当接部において、局所的に荷物が冷却されることもなく、コンテナ室内の荷物を均一に冷却することができる。
【００２７】
また、請求項４に記載のごとく、前記バルクヘッドは、前記壁体に対し、着脱自在に固設する構成としたので、冷気通路の掃除が必要となった際には、バルクヘッドを取外し、冷気通路を広く開放させることが可能となる。
【００２８】
また、請求項５に記載のごとく、前記バルクヘッドの下部に、開閉自在の板体を配するとともに、該板体の下端を、コンテナの床面に当接させる構成としたので、メンテナンス時では、掃除口を開放し、冷気通路下部に溜まった塵等の除去作業を行なうことができる。
【図面の簡単な説明】
【図１】本発明の冷凍装置を備えたコンテナを示す正面図である。
【図２】同じく各種カバーを取外した状態を示す正面図である。
【図３】冷凍装置のフレーム外枠の構成及びコンテナを示す斜視図である。
【図４】冷凍装置における冷気の流れを示す斜視図である。
【図５】冷凍装置の左一部断面側面図である。
【図６】冷凍装置の右一部断面側面図である。
【図７】バルクヘッドの構成を示す平面図である。
【図８】従来のコンテナ用冷凍装置における冷気通路の構成を示す斜視図である。
【符号の説明】
４　　エバポレーター
１０　　コンテナ
１１　　コンテナ用冷凍装置
２３　導風ガイド板
５８　バルクヘッド
５９　断熱ボード
８２　冷気通路
【図１】
2004003707.tif 000003
【図２】
2004003707.tif 000004
【図３】
2004003707.tif 000005
【図４】
2004003707.tif 000006
【図５】
2004003707.tif 000007
【図６】
2004003707.tif 000008
【図７】
2004003707.tif 000009
【図８】
2004003707.tif 000010